(57)【要約】      （修正有）【課題】単管バリケードの安定性を確保でき、通行人、車両に注意を喚起することのできる単管バリケード用脚部材を提供する。【解決手段】表示部、表示部に固定される円形軸部１０２、及び円形軸部外周から突出される突起部１０３でなる注意喚起表示器を、円形穴部３２、周方向溝３７、中心方向溝３８及び収納凹所３９にて脚本体に取付け又は取外し自在とする。突起部１０３の突出量と、円形軸部１０２の外直径を積算した値を表示側寸法値ε１とし、周方向溝３７の溝深さと、円形穴部３２の穴直径を積載した値を脚側寸法値ε２とし、脚側寸法値ε２は、表示側寸法値ε１より小さい寸法値に設定する。周方向溝３７は、突起部１０３の外周面１０３ａを溝底面３７ａに摺動自在として、突起部１０３の外周面１０３ａと溝底面３７ａとの間に締り嵌めを形成する。【選択図】図１５
0003201876.tif 000002
【実用新案登録請求の範囲】
【請求項１】
単管バリケードを構成し、単管の管端部を支持する単管バリケード用脚部材において、
表示部、前記表示部に固定される円形軸部、及び前記円形軸部外周から突出される突起部でなる注意喚起表示器を、取付け又は取外し自在とする単管バリケード用脚部材であって、
前記表示部を載置部に載置し、前記円形軸部及び前記突起部を内部空間に配置する脚本体と、
円形穴部と、
中心方向溝と、を備え、
前記円形穴部は、
前記載置部に開口して、前記脚本体の内部空間に連通され、前記円形軸部を回転自在に挿通可能とする円形穴を有し、
前記中心方向溝は、
前記円形穴内及び前記載置部に開口して、前記円形穴の穴中心方向にて前記脚本体の内部空間に連通され、前記突起部を摺動自在に嵌込み可能とする穴側溝部を有する
ことを特徴とする単管バリケード用脚部材。
【請求項２】
前記円形穴部は、
前記円形穴の穴中心に同心として、前記脚本体の内部空間に配置され、前記円形軸部を回転自在に挿通可能とする円筒部を有し、
前記中心方向溝部は、
前記円筒部内に開口して、前記円筒部の前記穴中心方向の両端間に延在され、前記突起部を摺動自在に嵌込み可能とする筒側溝部を有する
ことを特徴とする請求項１に記載の単管バリケード用脚部材。
【請求項３】
周方向溝を備え、
前記円形穴部は、
前記円形穴の穴中心に同心として、前記脚本体の内部空間に配置され、前記円形軸部を回転自在に挿入可能とする円筒部を有し、
前記周方向溝は、
前記円筒部内に開口して、前記円筒部の周方向に延在され、前記突起部を摺動自在に嵌込み可能とし、
前記中心方向溝は、
前記円筒部内及び前記周方向溝の一方溝周端に開口して、前記穴中心方向の前記載置部側に延在され、前記穴側溝部から前記突起部を摺動自在に嵌込み可能とする筒側溝部を有する
ことを特徴とする請求項１に記載の単管バリケード用脚部材。
【請求項４】
単管バリケードを構成し、単管の管端部を支持する単管バリケード用脚部材において、
表示部、前記表示部に固定される円形軸部、及び前記円形軸部外周から突出される突起部でなる注意喚起表示器を、取付け又は取外し自在とする単管バリケード用脚部材であって、
前記表示部を載置部に載置し、前記円形軸部及び前記突起部を内部空間に配置する脚本体と、
前記載置部に開口して、前記脚本体の内部空間に延在され、前記円形軸部を回転自在に挿入可能とする円形穴部と、
前記円形穴部内に開口して、前記円形穴部の周方向に延在され、前記突起部を嵌込み可能とする周方向溝と、
前記円形穴部内及び前記周方向溝の一方溝周端に開口され、前記円形穴部の穴中心方向に延在して前記載置部に開口され、前記突起部を摺動自在に嵌込み可能とする中心方向溝と、
前記円形穴内及び前記周方向溝の他方溝周端に開口され、前記他方溝周端の溝底面より前記穴中心方向と直交方向に延出され、前記突起部を収納可能とする収納凹所と、を備え、
前記突起部の突出量と、前記円形軸部の外直径を加算した値を表示側寸法値とし、
前記周方向溝の溝深さと、前記円形穴部の穴直径を加算した値を脚側寸法値とし、
前記脚側寸法値は、前記表示側寸法値より小さい寸法値に設定され、
前記周方向溝は、
前記突起部の外周面を前記溝底面に摺動自在として、前記突起部の前記外周面と前記溝底面との間に締り嵌めを形成する
ことを特徴とする単管バリケード用脚部材。
【考案の詳細な説明】
【技術分野】
【０００１】
本考案は、工事現場等への進入を防止、規制する単管バリケードを構成し、単管の管端部を支持する単管バリケード用脚部材に関する。
【背景技術】
【０００２】
単管バリケードとして、特許文献１記載の技術は、進入規制柵を開示する。進入規制柵は、一対のスタンド、単管、及び一対の緩衝標示体を備える。各スタンドは、間隔を隔てて設置される。単管は、各スタンド間に架け渡され、各スタンドに支持（固定）される。単管において、各管端部は、各スタンドから延在される。各緩衝標示体は、各スタンドから延在される管端部に取付けられる。
特許文献１記載の技術では、各緩衝標示体にて通行人、車両（自動車、自転車等）に注意喚起を促す。
【先行技術文献】
【特許文献】
【０００３】
【特許文献１】特開２００５−２０７１５８号公報
【考案の概要】
【考案が解決しようとする課題】
【０００４】
しかし、特許文献１記載の技術は、単管の各管端部を各スタンドから延在し、及び各スタンドから延在した管端部に緩衝標示体を取付けているので、各スタンド間の間隔が狭く、安定性に劣り、通行人等が衝突すると簡単に倒れる虞がある。
【０００５】
本考案は、単管バリケードの安定性を確保でき、通行人、車両に注意を喚起することのできる単管バリケード用脚部材を提供することにある。
【課題を解決するための手段】
【０００６】
本考案に係る請求項１は、単管バリケードを構成し、単管の管端部を支持する単管バリケード用脚部材において、表示部、前記表示部に固定される円形軸部、及び前記円形軸部外周から突出される突起部でなる注意喚起表示器を、取付け又は取外し自在とする単管バリケード用脚部材であって、前記表示部を載置部に載置し、前記円形軸部及び前記突起部を内部空間に配置する脚本体と、円形穴部と、中心方向溝と、を備え、前記円形穴部は、前記載置部に開口して、前記脚本体の内部空間に連通され、前記円形軸部を回転自在に挿通可能とする円形穴を有し、前記中心方向溝は、前記円形穴内及び前記載置部に開口して、前記円形穴の穴中心方向にて前記脚本体の内部空間に連通され、前記突起部を摺動自在に嵌込み可能とする穴側溝部を有することを特徴とする単管バリケード用脚部材である。
【０００７】
本考案に係る請求項２は、前記円形穴部は、前記円形穴の穴中心に同心として、前記脚本体の内部空間に配置され、前記円形軸部を回転自在に挿通可能とする円筒部を有し、前記中心方向溝は、前記円筒部内に開口して、前記円筒部の前記穴中心方向の両端間に延在され、前記突起部を摺動自在に嵌込み可能とする筒側溝部を有することを特徴とする請求項１に記載の単管バリケード用脚部材である。
【０００８】
本考案に係る請求項３は、周方向溝を備え、前記円形穴部は、前記円形穴の穴中心に同心として、前記脚本体の内部空間に配置され、前記円形軸部を回転自在に挿入可能とする円筒部を有し、前記周方向溝は、前記円筒部内に開口して、前記円筒部の周方向に延在され、前記突起部を摺動自在に嵌込み可能とし、前記中心方向溝は、前記円筒部内及び前記周方向溝の一方周端に開口して、前記穴中心方向の前記載置部側に延在され、前記穴側溝部から前記突起部を摺動自在に嵌込み可能とする筒側溝部を有することを特徴とする請求項１に記載の単管バリケード用脚部材である。
【０００９】
本考案に係る請求項４は、単管バリケードを構成し、単管の管端部を支持する単管バリケード用脚部材において、表示部、前記表示部に固定される円形軸部、及び前記円形軸部外周から突出される突起部でなる注意喚起表示器を、取付け又は取外し自在とする単管バリケード用脚部材であって、前記表示部を載置部に載置し、前記円形軸部及び前記突起部を内部空間に配置する脚本体と、前記載置部に開口して、前記脚本体の内部空間に延在され、前記円形軸部を回転自在に挿入可能とする円形穴部と、前記円形穴部内に開口して、前記円形穴部の周方向に延在され、前記突起部を嵌込み自在とする周方向溝と、前記円形穴部内及び前記周方向溝の一方溝周端に開口され、前記円形穴部の穴中心方向に延在して前記載置部に開口され、前記突起部を摺動自在に嵌込み可能とする中心方向溝と、前記円形穴部内及び前記周方向溝の他方溝周端に開口され、前記他方溝周端の溝底面より前記穴中心方向に直交する直交方向に延出され、前記突起部を収納可能とする収納凹所と、を備え、前記突起部の突出量と、前記円形軸部の外直径を加算した値を表示側寸法値とし、前記周方向溝の溝深さと、前記円形穴部の穴直径を加算した値を脚側寸法値とし、前記脚側寸法値は、前記表示側寸法値より小さい寸法値に設定され、前記周方向溝は、前記突起部の外周面を前記溝底面に摺動自在として、前記突起部の前記外周面と前記溝底面との間に締り嵌めを形成することを特徴とする単管バリケード用脚部材である。
【考案の効果】
【００１０】
本考案によれば、注意喚起表示器を脚本体に取付けことができるので、単管バリケード用脚部材は、単管の各管端部を支持できる。
これにより、単管バリケードは、単管の管端部を単管バリケード脚部材（脚本体）から軸心方向に延在させる必要がなく、安定性に優れたものとなる。
また、注意喚起表示器Ａにて、通行人、車両（自動車、自転車等）に注意喚起を促すことができる。
【図面の簡単な説明】
【００１１】
【図１】第１実施形態の単管バリケード用脚部材を示す斜視図である。
【図２】第１実施形態の単管バリケード用脚部材を示す前面図である。
【図３】第１実施形態の単管バリケード用脚部材を示す背面図である。
【図４】図１の要部拡大斜視図である。
【図５】図４のＡ−Ａ矢視拡大図である。
【図６】（ａ）は、図２の要部拡大前面図、（ｂ）は、図３の要部拡大背面図である。
【図７】図４のＢ−Ｂ矢視断面拡大図である。
【図８】図４のＣ−Ｃ矢視断面拡大図である。
【図９】（ａ）は、注意喚起表示器を示す斜視図、（ｂ）は、図９（ａ）のＤ−Ｄ矢視断面拡大図である。
【図１０】第１実施形態の単管バリケード用脚部材の載置部に、注意喚起表示器の円形軸部を向けた斜視図である。
【図１１】第１実施形態の単管バリケード用脚部材であって、注意喚起表示器の表示部を載置部上に配置し、円形軸部及び突起部を脚本体の内部空間に配置した斜視図である。
【図１２】第１実施形態の単管バリケード用脚部材に、注意喚起表示器を取付けた状態を示す斜視図である。
【図１３】図１２のＥ−Ｅ矢視断面拡大図であって、突起部を周方向溝の一方溝周端に対峙させた状態を示す図である。
【図１４】図１３のＦ−Ｆ矢視断面拡大図である。
【図１５】（ａ）は、突起部を周方向溝の一方溝周端に圧入した状態を示す断面拡大図、（ｂ）は突起部を周方向溝内に嵌込んだ状態を示す断面拡大図である。
【図１６】図１２のＥ−Ｅ矢視断面拡大図であって、突起部を収納凹所内に収納した状態を示す図である。
【図１７】図１６のＧ−Ｇ矢視断面拡大図である。
【図１８】単管バリケードを示す斜視図である。
【図１９】第２実施形態の単管バリケード用脚部材を示す斜視図である。
【図２０】第２実施形態の単管バリケード用脚部材の載置部に、注意喚起表示器の円形軸部を向けた斜視図である。
【図２１】第２実施形態の単管バリケード用脚部材であって、注意喚起表示器の表示部を載置部上に配置し、円形軸部及び突起部を脚本体の内部空間に配置した斜視図である。
【図２２】図２１のＨ−Ｈ矢視断面拡大図である。
【図２３】第３実施形態の単管バリケード用脚部材を示す斜視図である。
【図２４】第３実施形態の単管バリケード用脚部材の載置部に、注意喚起表示器の円形軸部を向けた斜視図である。
【図２５】第３実施形態の単管バリケード用脚部材であって、注意喚起表示器の表示部を載置部上に配置し、円形軸部及び突起部を脚本体の内部空間に配置した斜視図である。
【図２６】図２５のＪ−Ｊ矢視断面拡大図である。
【図２７】図２６のＫ−Ｋ矢視断面図であって、（ａ）は突起部を筒側溝部に嵌込んだ状態を示す図、（ｂ）は円形軸部を回転した状態を示す図である。
【図２８】第４実施形態の単管バリケード用脚部材を示す斜視図である。
【図２９】第４実施形態の単管バリケード用脚部材の載置部に、注意喚起表示器の円形軸部を向けた斜視図である。
【図３０】第４実施形態の単管バリケード用脚部材であって、注意喚起表示器の表示部を載置部上に配置し、円形軸部及び突起部を脚本体の内部空間に配置した斜視図である。
【図３１】図３０のＬ−Ｌ矢視断面拡大図である。
【図３２】図３１のＭ−Ｍ矢視断面拡大図であって、突起部を筒側溝部に嵌込んだ状態を示す図である。
【図３３】図３１のＭ−Ｍ矢視断面拡大図であって、突起部を周方向溝に嵌込んだ状態を示す図である。
【図３４】第５実施形態の単管バリケード用脚部材を示す斜視図である。
【図３５】第５実施形態の単管バリケード用脚部材であって、円筒保持体を示す斜視図あって、（ａ）は円筒保持体を円形穴に向けた状態を示す図、（ｂ）は円筒保持体を円形穴内に配置した状態を示す図である。
【図３６】第５実施形態の単管バリケード用脚部材の載置部に、注意喚起表示器の円形軸部を向けた斜視図である。
【図３７】第５実施形態の単管バリケード用脚部材であって、注意喚起表示器の表示部を載置部上に配置し、円形軸部及び突起部を脚本体の内部空間に配置した斜視図である。
【図３８】（ａ）は、単管バリケード用脚部材及び蓋部材を示す斜視図、（ｂ）は蓋部材で円形穴及び穴側溝部を閉塞した状態を示す斜視図である。
【図３９】図３８（ｂ）のＮ−Ｎ矢視断面拡大図であって、（ａ）は蓋部材の突起爪部を穴側溝部内に嵌めた状態を示す図、（ｂ）は蓋部材を回転して大径蓋板部及び各突起爪部間に上面壁板を挿入した状態を示す図である。
【考案を実施するための形態】
【００１２】
本考案に係る単管バリケート用脚部材について、図１乃至図３９を参照して説明する。
以下、第１乃至第５実施形態の単管バリケード用脚部材を説明する。
【００１３】
＜第１実施形態＞
第１実施形態の単管用バリケード用脚部材について、図１乃至図１８を参照して説明する。
【００１４】
図１８において、第１実施形態の単管バリケード用脚部材Ｘ（以下、「単管バリケード用脚部材Ｘ」という）は、単管バリケードＺを構成し、複数本の単管Ｙ１，Ｙ２の管端部Ｙａ（又はＹｂ）を支持する。
図１乃至図１８において、単管バリケード用脚部材Ｘは、注意喚起表示器Ａを取付け、又は取外し自在とする。
【００１５】
＜注意喚起表示器Ａ＞
図９において、注意喚起表示器Ａは、表示部１０１、円形軸部１０２、及び突起部１０３でなる。
【００１６】
表示部１０１は、例えば、発光ダイオード等の発光源（図示しない）を内蔵し、発光源を発光する表示灯、又は反射板で構成される。
【００１７】
円形軸部１０２は、表示部１０１の下端１０１ａに固定される。円形軸部１０２は、表示部１０１の中心ａ１に同心として配置され、一方軸端を表示部１０１の下端１０１ａに固定（連結）する。円形軸部１０２は、軸心方向Ｐ１において、表示部１０１の下端１０１ａから下方に延在される。円形軸部１０２は、外直径：Ｄ１である。
【００１８】
突起部１０３は、円形軸部１０２の他方軸端１０２ａ側に配置される。突起部１０３は、円形軸部１０２の軸心方向Ｐ１において、表示部１０１の下端１０１ａから距離δ１（軸心方向寸法値δ１）を隔てて配置される。軸方向寸法値δ１（距離δ１）は、表示部１０１の下端１０１ａと突起部３の中心ａ３との間の距離である。
【００１９】
突起部１０３は、円形軸部１０２の外周面１０２ｃから突出される。突起部１０３は、円形軸部１０２の軸心方向Ｐ１に直交する直交方向Ｑ１に突出される。突起部１０３は、円形軸部１０２の軸心ａ２に同心として、円形軸部１０２の周方向Ｓ１に延在され、円弧外周面１０３ａ（外周面）を有する。
【００２０】
突起部１０３は、直交方向Ｑ１の突出量Ｅ１、軸心方向Ｐ１の突起高さＥ２、及び周方向Ｓ１の突起幅Ｅ３である。
突起部１０３において、円弧外周面１０３ａの外半径Ｒ３は、突出量Ｅ１と、円形軸部１０２の外半径Ｒ１（Ｒ１＝Ｄ１／２）を加算した寸法値（Ｒ３＝Ｅ１＋Ｒ１）となる。
【００２１】
注意喚起表示器Ａにおいて、突起部１０３の突出量Ｅ１と、円形軸部１０２の外直径Ｄ１を加算した値を表示側寸法値ε１（ε１＝Ｅ１＋Ｄ１）とする。
【００２２】
＜単管バリケード用脚部材Ｘ＞
図１乃至図８において、単管バリケード用脚部材Ｘは、脚本体１、及び複数の単管クランプ２，３を備える。
【００２３】
脚本体１は、表示部１０１を載置部２１に載置し、円形軸部１０２及び突起部１０３を内部空間Ｗに配置する（図１１乃至図１８参照）。
脚本体１は、図１乃至図８に示すように、前面壁板４、背面壁板５、右面壁板６、左面壁板７、上面壁板８、下面壁板９、及び内側壁板１０，１１で構成される。
脚本体１は、表示部１０１を載置する載置部２１を有する。
【００２４】
前面壁板４は、図１乃至図４、及び図６（ａ）に示すように、基壁板部１５、一対の脚壁板部１６，１７、円弧壁板部１８、及び複数の壁板穴１９，２０で形成される。
【００２５】
各脚壁板部１６，１７は、脚本体１の長手方向Ｌにおいて、基壁板部１５の下端に一体形成される。各脚壁板部１６，１７は、長手方向Ｌに直交する幅方向Ｈに間隔を隔てて配置される。各脚壁板部１６，１７は、幅方向Ｈの各幅端１３ｃ，１３ｄ側（左右幅端１３ｃ，１３ｄ側）に形成される。
【００２６】
円弧壁板部１８は、長手方向Ｌにおいて、基壁板部１５の上端に一体形成される。円弧壁板部１８は、左幅端１３ｃ側に配置される。
円弧壁板部１８は、長手方向Ｌにおいて、基壁板部１５の上端からに延在され、及び幅方向Ｈにおいて、左幅端１３ｃから右幅端１３ｄ側に湾曲される。
【００２７】
各壁板穴１９，２０は、長手方向Ｌに間隔を隔てて形成される。各壁板穴１９，２０は、長手方向Ｌ及び幅方向Ｈに直交する厚さ方向Ｔにおいて、前面壁板４（基壁板部１５）を貫通して開口される。
【００２８】
背面壁板５は、図１、図３、図４及び図６（ｂ）に示すように、前面壁板４と同様に、基壁板部１５、一対の脚壁板部１６，１７、円弧壁板部１８、及び複数の壁板穴１９，２０を有する。
【００２９】
前面壁板４及び背面壁板５は、厚さ方向Ｔに間隔を隔てて並設される。
【００３０】
左面壁板６は、図１乃至図３に示すように、各壁板４，５間の左幅端１３ｃ，１３ｃに配置される。左面壁板６は、各壁板４，５に直交され、厚み方向Ｔにおいて、各壁板４，５間に渡って配置される。
左面壁板６は、長手方向Ｌにおいて、各壁板４，５の左幅端１３ｃに沿って延在され、各壁板４，５の左幅端１３ｃ，１３ｃに一体形成される。なお、左幅端１３ｃは、脚壁板部１６の左幅端、基壁板部１５の左幅端及び円弧壁板部１８の外側円弧端でなる。
【００３１】
右面壁板７は、図１乃至図４に示すように、各壁板４，５間の右幅端１３ｄ，１３ｄに配置される。右面壁板７は、各壁板４，５に直交され、厚み方向Ｔにおいて、各壁板４，５間に渡って配置される。
右面壁板７は、長手方向Ｌにおいて、各壁板４，５の右幅端１３ｄに沿って延在され、各壁板４，５の右幅端１３ｄ，１３ｄに一体形成される。なお、右幅端１３ｄは、脚壁板部１７の右幅端及び基壁板部１５の右幅端でなる。
【００３２】
上面壁板８は、図１乃至図４、及び図６に示すように、各壁板４，５間の上端１３ｂに配置される。上面壁板８は、各壁板４，５に直交され、厚み方向Ｔにおいて、各壁板４，５間に渡って配置される。
上面壁板８は、幅方向Ｈにおいて、各壁板４，５の上端１３ｂ，１３ｂに沿って延在され、各壁板４，５の上端１３ｂ，１３ｂに一体に形成される。なお、上端１３ｂは、基壁板部１５の上端及び円弧壁板部１８の内側円弧端でなる。
上面壁板８は、幅方向Ｈの各端において、左右面壁板６，７に一体形成される。
【００３３】
下面壁板９は、図１乃至図３に示すように、各壁板４，５間の下端１３ａに配置される。下面壁板９は、各壁板４，５に直交され、厚み方向Ｔにおいて、各壁板４，５間に渡って配置される。
下面壁板９は、幅方向Ｈにおいて、各壁板４，５の下端１３ａ，１３ａに沿って延在され、各壁板４，５の下端１３ａに一体形成される。なお、下端１３ａは、各脚壁板部１６，１７の下端及び基壁板部１５の下端でなる。
下面壁板９は、幅方向Ｈの各端において、左右面壁板６，７に一体形成される。
【００３４】
内側壁板１０は、図１乃至図３に示すように、各壁板４，５間の壁板穴１９周りに配置される。内側壁板１０は、各壁板４，５に直交され、厚さ方向Ｔにおいて、各壁板４，５間に渡って配置される。
内側壁板１０は、壁板穴１９に沿って各壁板４，５に一体形成される。
【００３５】
内側壁板１１は、図１乃至図３に示すように、各壁板４，５間の壁板穴２０周りに配置される。内側壁板１１は、各壁板４，５に直交され、厚さ方向Ｔにおいて、各壁板４，５間に渡って配置される。
内側壁板１１は、壁板穴２０に沿って各壁板４，５に一体形成される。
【００３６】
載置部２１は、図１乃至図４、図６及び図８に示すように、上面壁板８にて構成される。載置部２１は、幅方向Ｈにおいて、幅中央より右面壁板７側に形成される。
載置部２１は、長手方向Ｌにおいて、上面壁板８を脚本体１の外側（円弧壁板１８側）に膨出して形成される。
【００３７】
これにより、脚本体１は、各壁板４〜１１にて中空に形成され、内部空間Ｗを有する。脚本体１は、合成樹脂（例えば、ポリエチレン）をブロー成形して、各壁板４〜１１及び載置部２１を形成し、及び中空の内部空間Ｗを形成する。
脚本体１において、各壁板４，５の脚壁板部１６，１７及び各壁板６，７，９は、図１乃至図３に示すように、中空の脚部２５，２６を形成し、各壁板４，５の円弧壁板部１８及び各壁板６〜８は、中空の円弧部２７を形成する。各壁板４，５及び内側壁板１０は、図１に示すように、厚さ方向Ｔにおいて、脚本体１を貫通する内側穴部２８を形成し、各壁板４，５及び内側壁板１１は、厚さ方向Ｔにおいて、脚本体１を貫通する内側穴部２９を形成する。
【００３８】
単管クランプ２は、図１乃至図３に示すように、脚本体１の上面壁板８に固定される。単管クランプ２は、幅方向Ｈにおいて、上面壁板８の幅中央に位置して、円孤部２７の下側に配置される。
【００３９】
単管クランプ３は、図１乃至図３に示すように、脚本体１の内側穴部２９内に配置され、内側壁板１１に固定される。単管クランプ３は、幅方向Ｈにおいて、左右面壁板４，５間の幅中央に配置される。
【００４０】
図１乃至図８において、単管バリケード用脚部材Ｘは、凹空所３１、円形穴部３２、周方向溝３７、中心方向溝３８、及び収納空所３９を備える。
単管バリケード用脚部材Ｘにおいて、凹空所３１、円形穴部３２、各溝３７，３８及び収納凹所３９は、ブロー成形にて形成される。
【００４１】
凹空所３１は、図１乃至図４、及び図６に示すように、長手方向Ｌにおいて、基壁板部１５（各壁板４，５）の上端側に配置され、及び幅方向Ｈにおいて、円弧部２７より右面壁板７側に配置される。凹空所３１は、長手方向Ｌにおいて、載置部２１に間隔を隔てて下面壁板９側に配置される。
凹空所３１は、厚さ方向Ｔにおいて、各壁板４，５の基壁板部１５の一部を内側に膨出して形成され、及び幅方向Ｈにおいて、右面壁板７まで延在される。
凹空所３１は、前面壁板４（基壁板部１５）の一部で形成される底壁板部３１Ａと、背面壁板５（基壁板部１５）の一部で形成される底壁板部３１Ｂを有する。各底壁板部３１Ａ，３１Ｂは、厚み方向Ｔに間隔を隔てて並設され、及び幅方向Ｈにおいて、右幅端１３ｄまで延在され、右面壁板７にて閉塞される。
【００４２】
円形穴部３２は、図１、及び図４乃至図８に示すように、載置部２１に開口して脚本体１の内部に延在される。円形穴部３２は、円形軸部１０２を回転自在に挿入可能とする。
円形穴部３２は、例えば、円形穴３５及び円筒部３６を有して構成される。
【００４３】
円形穴３５は、図１、図４及び図５に示すように、載置部２１に配置される。円形穴３５は、載置部２１（上面壁板８）に開口され、円形軸部１０２を回転自在に挿入可能とする。
円形穴３５は、穴中心方向ＬＸにおいて、脚本体１の内外に連通される。
円形穴３５は、図５に示すように、穴直径ｄ１である。円形穴３５において、穴直径ｄ１は、円形軸部１０２の外直径Ｄ１より大きい寸法値（ｄ１＞Ｄ１）である。
【００４４】
円筒部３６は、図１乃至図４、図６乃至図８に示すように、円形穴３５の穴中心ａ４と同心として載置部２１（上面壁板８）の下端側に配置される。円筒部３６は、凹空所３１内に配置され、及び穴中心方向ＬＸ（長手方向Ｌ）において、凹空所３１の上下側壁板部３１Ｃ，３１Ｄ間に渡って形成される。
円筒部３６は、穴中心ａ４と直交する直交方向ＴＸ（厚さ方向Ｔ）において、各壁板４，５の底壁板部３１Ａ，３１Ｂの一部を外側に膨出して形成され、円形穴３５から円形軸部１０２を回転自在に挿入可能とする。
円筒部３６は、前面壁板４（基壁板部１５）の底壁板部３１Ａの一部で形成される円弧周壁板３６Ａと、背面壁板５（基壁板部１５）の底壁板部３１Ｂの一部で形成される円弧周壁板３６Ｂで構成される。円筒部３６は、図７に示すように、円形穴３５と同様、穴直径ｄ１である。
【００４５】
これにより、円形穴３５及び円筒部３６は、穴中心方向ＬＸ（長手方向Ｌ）に同心として並設され、円形穴部３２を構成する。
【００４６】
周方向溝３７は、図１乃至図４、図７及び図８に示すように、円形穴部３２において、円筒部３６の円弧周壁板３６Ａ（前面壁板４）に形成される。
周方向溝３７は、図７に示すように、円筒部３６（円形穴部３２）の穴中心ａ４と同心として周方向ＨＸに延在され、円弧溝底面３６Ａを有する。周方向溝３７は、円形穴部３２において、円筒部３６内に開口して円形穴部３２（円筒部３６）の周方向ＨＸに延在され、突起部１０３を嵌込み可能とする。周方向溝３７は、周方向ＨＸにおいて、各溝周端３７Ａ，３７Ｂ（一方溝周端３７Ａ，他方溝周端３７Ｂ）を有する。
周方向溝３７は、図７及び図８に示すように、直交方向ＴＸの溝深さＦ１、穴中心方向ＬＸの溝幅Ｆ２であり、円弧溝底面３６Ａの底半径r３は、溝深さＦ１と円筒部３６（円形穴部３２）の穴半径r１（r１＝ｄ１／２）を加算した寸法値（r３＝Ｆ１＋r１）となる。周方向溝３７において、溝幅Ｆ２は、突起部１０３の突起高さＥ２より大きい寸法値（Ｆ２＞Ｅ２）である。
周方向溝３７は、穴中心方向ＨＸ（長手方向Ｌ）において、載置部２１（上平面２１Ａ）から溝幅中心ａ５までの距離δ２（穴中心方向寸法値δ２）を隔てて配置される。穴中心方向寸法値δ２は、突起部１０３の軸心方向寸法値δ１と同一（δ２＝δ１）である。
周方向溝３７は、直交方向ＴＸにおいて、円筒部３６の円弧周壁板３６Ａ（前面壁板４）の一部を外側に膨出して形成される。
周方向溝３７は、周方向ＨＸにおいて、右面壁板７側から左面壁板６に向けて延在され、一方溝周端３７Ａを各底壁板部３１Ａ，３１Ｂ間に連通する。
【００４７】
中心方向溝３８は、図１乃至図８に示すように、円形穴部３２内及び周方向溝３７の一方溝周端３７Ａに開口される。中心方向溝３８は、周方向溝３７の一方溝周端３７Ａから穴中心方向ＬＸ（長手方向Ｌ）に延在して載置部２１に開口される。中心方向溝３８は、突起部１０３を摺動自在に嵌込み可能とする。
中心方向溝３８は、穴側溝部３８Ａ及び筒側溝部３８Ｂを有して構成され、穴中心方向ＬＸ（長手方向Ｌ）において、各溝部３８Ａ，３８Ｂを配置して構成される。
【００４８】
穴側溝部３８Ａは、図５に示すように、幅方向Ｈにおいて、円形穴３５内周から右面壁板７側に延出され、円形穴３５内に開口する。
穴側溝部３８Ａは、幅方向Ｈの溝深さＧ１、及び厚さ方向Ｔの溝幅Ｇ２である。
【００４９】
筒側溝部３８Ｂは、図７及び図８に示すように、幅方向Ｈの右面壁板７側において、各円弧周壁板部３６Ａ，３６Ｂに連続する各底壁板部３１Ａ，３１Ｂ間に形成される。
筒側溝部３８Ｂは、幅方向Ｈにおいて、円筒部３６外周から右面壁板７側に延出され、円筒部３６内及び周方向溝３７の一方溝周端３７Ａに開口する。
筒側溝部３８Ｂは、図７及び図８に示すように、穴中心方向ＬＸ（長手方向Ｌ）において、円筒部３６の各開口端間（凹空所３１の上下側壁板部３１Ｃ，３１Ｄ間）に延在される。筒側溝部３８Ｂは、穴中心方向ＬＸ（長手方向Ｌ）において、円筒部３６の載置部２１側に延在され、穴側溝部３８Ａの下側に並設される。
筒側溝部３８Ｂは、幅方向Ｈの溝深さＫ１、及び厚さ方向Ｔの溝幅Ｋ２である。
中心方向溝３８において、溝深さＧ１，Ｋ１は、注意喚起表示器Ａの突起部１０３の突出量Ｅ１より大きい寸法値（Ｇ１，Ｋ１＞Ｅ１）である。
中心方向溝３８において、溝幅Ｇ２，Ｋ２は、突起部１０３の突起高さＥ３より大きい寸法値（Ｇ２，Ｋ２＞Ｅ３）である。
【００５０】
これにより、穴側溝部３６Ａ及び筒側溝部３６Ｂは、穴中心方向ＬＸに並設され、中心方向溝３８を構成する。
【００５１】
収納凹所３９は、図１、図２、図４、図６乃至図８に示すように、円形穴部３２において、円筒部３６の円弧周壁板部３６Ａ（前面壁板４）に形成される。収納凹所３９は、円筒部３６（円形穴部３２）内及び周方向溝３７の他方溝周端３７Ｂに開口される。収納凹所３９は、周方向溝３７の他方溝周端３７Ｂの円弧溝底面３７ａ（溝底面）より直交方向ＴＸに延出される。収納凹所３９は、突起部１０３を収納可能とする。
収納凹所３９は、直交方向ＴＸにおいて、円孤周壁板部３６Ａの一部を他方溝周端３７Ｂの円弧溝底面３７ａより外側に膨出して形成される。収納凹所３９は、幅方向Ｈにおいて、他方溝周端３７Ｂに隣接する円弧周壁板部３６Ａの一部を膨出して形成される。
これにより、収納空所３９は、図４、図７及び図８に示すように、周方向ＨＸの左右側壁板部３９Ａ，３９Ｂ、上下側壁板部３９Ｃ，３９Ｄ、及び前側壁板部３９Ｅで囲まれて形成される。
収納凹所３９は、図７及び図８に示すように、穴中心方向ＬＸの凹所高さＭ１、周方向ＨＸの凹幅Ｍ２、及び直交方向ＴＸの凹深さＭ３である。
収納凹所３９において、凹高さＭ１は、突起部１０３の突起高さＥ２より大きい寸法値（Ｍ１＞Ｅ２）である。凹幅Ｍ２は、突起部１０３の突起幅Ｅ３より大きい寸法値（Ｍ２＞Ｅ３）である。凹深さＭ３は、突起部１０３の突出量Ｅ１より大きい寸法値（Ｍ３＞Ｅ１）である。
【００５２】
脚本体１において、周方向溝３７の溝深さＦ１と、円形穴部３２（円形穴３５及び円筒部３６）の穴直径ｄ１を加算した値を脚側寸法値ε２（ε２＝Ｆ１＋ｄ１）とする（図７参照）。
脚側寸法値ε２は、表示側寸法値ε１（ε１＝Ｆ１＋ｄ１）より小さい寸法値に設定される。
また、周方向溝３７は、突起部１０３の円弧外周面１０３ａ（外周面）を円孤溝底面３７ａに摺動自在として、突起部１０３の円弧外周面１０３ａと円孤溝底面３７ａとの間に締り嵌めを形成する。
これにより、注意喚起表示器Ａにおいて、突起部１０３は、円形軸部１０２を一方向に回転する一定以上の回転力により、中心方向溝３８から周方向溝３７に圧入でき、及び円孤外周面１０３ａ（外周面）を円孤溝底面３７ａに摺動できる。このとき、突起部１０３は、直交方向ＴＸにおいて、円孤溝底面３７ａの円弧周壁板３６Ａを弾性変形しつつ円孤溝底面３７ａを摺動する。
一方、突起部１０３は、円形軸部１０２を他方向に回転する一定以上の回転力により、収納凹所３９から周方向溝３７に圧入でき、及び円孤外周面１０３ａを円孤溝底面３７ａに摺動できる。このとき、突起部１０３は、直交方向ＴＸにおいて、円孤溝底面３７ａの円弧周壁板３６Ａを弾性変形しつつ円孤溝底面３７ａを摺動する。
【００５３】
次に、注意喚起表示器Ａを、単管バリケード用脚部材Ｘ（脚本体１）に取付ける手順について、図１０乃至図１７を参照して説明する。
【００５４】
作業者は、図１０に示すように、注意喚起表示器Ａの表示部１０１を把持し、円形軸部１０２の他方軸端１０２ａを円形穴３５（円形穴部３２）及び載置部２１に向ける。
【００５５】
続いて、作業者は、図１１乃至図１４に示すように、円形軸部１０２を載置部２１から円形穴３５（円形穴部３２）内に挿入し、及び突起部１０３を載置部２１から穴側溝部３８Ａ（中心方向溝３８）に嵌込む。
作業者は、図１３に示すように、注意喚起表示器Ａを穴中心方向ＬＸ（長手方向Ｌ）に移動し、円形軸部１０２を円形穴３５から円筒部３６内に挿入する。
このとき、突起部１０３は、穴側溝部３８Ａから筒側溝部３８Ｂに嵌め込まれ、筒側溝部３７Ｂ内を摺動しつつ穴中心方向ＬＸ（長手方向Ｌ）に移動される。
【００５６】
続いて、作業者は、図１１及び図１３に示すように、表示部１０１の下端１０１ａを脚本体１の載置部２１（上平面２１Ａ）上に載置する。
表示部１０１を載置部２１に載置すると、突起部１０３は、図１３及び図１４に示すように、中心方向溝３８内（筒側溝部３８Ｂ内）から周方向溝３７の一方溝周端３７Ａに対峙する。
【００５７】
続いて、作業者は、図１４に示すように、表示器１０１を載置部２１に載置した状態において、一方向に回転すると、これにより円形軸部１０２も一方向に回転される。なお、一方向の回転は、円形軸部１０２を周方向溝３７の一方溝周端３７Ａから他方溝周端３７Ｂに向けて回転することである。
一方向に回転する一定以上の回転力を円形軸部１０２に作用すると、突起部１０３は、図１５に示すように、中心方向溝３８（筒側溝部３８Ｂ）から周方向溝３７の一方溝周端３７Ａに圧入され、周方向溝３７に嵌込まれる。
このとき、円形軸部１０２は、図１５に示すように、突起部１０３に対向する側の外周面１０２ｃを円形穴部３２（円形穴３５及び円筒部３６）の内周面３２ｃに当接して押付けられる。
一定以上の回転力により、突起部３８は、直交方向ＴＸにおいて、円孤溝底面３７ａの円弧周壁板部３６Ａを弾性変形しつつ、円孤外周面１０３ａを円孤溝底面３７ａに摺動させる。
一方向の回転（一定以上の回転力）により、突起部３８は、図１５（ｂ）乃至図１７に示すように、周方向溝３７で案内されつつ、周方向溝３７の一方溝周端３７Ａから他方溝周端３７Ｂに旋回（移動）され、他方溝周端３７Ｂから収納空所３９内に挿入して収納される。
【００５８】
脚本体１において、脚側寸法値ε２（ε２＝Ｆ１＋ｄ１）は、表示側寸法値ε１（ε１＝Ｅ１＋Ｄ１）より小さい寸法値に設定されているので、収納凹所３９内に収納された突起部１０３（円弧外周面１０３ａ）は、図１６及び図１７に示すように、直交方向ＴＸにおいて、周方向溝３７の他方溝周端３７Ｂの円弧溝底面３７ａより外側に位置する。
従って、他方向に回転する一定以上の回転力を円形軸部１０２に作用しない限り、突起部３８は、図１７に示すように、他方溝周端３７Ｂから周方向溝３７内に圧入されず、周方向ＨＸにおいて、収納凹所３９の左側壁板部３９Ａ（収納凹所３９の左側）に当接される。なお、他方向の回転とは、周方向溝３７の他方溝周端３７Ｂから一方溝周端３７Ａに向けて回転させることである。
これにより、突起部１０３は、注意喚起表示器Ａ（表示部１０１、円形軸部１０２）の他方向への回転を規制する。
【００５９】
また、突起部１０３は、図１７に示すように、周方向ＨＸにおいて、収納凹所３９の右側壁板部３９Ｂ（収納凹所３９の右側）に当接することで、注意喚起表示器Ａ（表示部１０１、円形軸部１０２）の一方向の回転を規制する。
【００６０】
更に、突起部１０３は、図１６に示すように、穴中心方向ＬＸ（長手方向Ｌ）において、収納凹所３９の上側壁板部３９Ｃ（収納凹所３９の上側）に当接することで、注意喚起表示器Ａ（表示部１０１、円形軸部１０２）の穴中心方向ＬＸ（長手方向Ｌ）への移動を規制する。このとき、突起部１０３は、穴中心方向ＬＸ（長手方向Ｌ）において、載置部２１側（上面壁板８側）への移動を規制する。
【００６１】
このように、注意喚起表示器Ａは、図１６及び図１７に示すように、突起部１０３及び収納凹所３９（各壁板部３９Ａ〜３９Ｃ）との協働により、周方向ＨＸの回転、及び穴中心方向ＬＸ（長手方向Ｌ）の移動が規制され、脚本体１から抜け出ることなく、表示部１０を載置部２１に載置して脚本体１（単管バリケード用脚部材Ｘ）に取付けられる。
また、表示部１０１を載置部２１に載置することで、注意喚起表示器Ａは、穴中心方向ＬＸにおいて、下面壁板９側へ移動しない。
また、円形軸部１０２は、円筒部３６（円形穴部３２）にて保持されるので、注意喚起表示器Ａは傾かない。
【００６２】
注意喚起表示器Ａを脚本体１から取外す時、作業者は、図１６及び図１７に示すように、表示部１０１を把持し、表示部１０１を他方向に回転すると、これにより円形軸部１０２も他方向に回転される。
このとき、一定以上の回転力を円形軸部１０２に作用すると、突起部１０３は、図１５（ｂ）に示すように、収納凹所３９から周方向溝３７の他方溝周端３７Ｂに圧入され、周方向溝３７内に嵌込まれる。
このとき、円形軸部１０２は、突起部１０３に対向する側の外周面１０２ａを円形穴部３２（円形穴３５及び円筒部３６）の内周面３２cに当接して押付けられる。
一定以上の回転力により、突起部１０３は、直交方向ＴＸにおいて、円孤溝底面３７ａの円弧周壁板３７Ａを弾性変形しつつ、円孤外周面１０３ａを円孤溝底面３７ａに摺動させる。
他方向の回転（一定以上の回転力）により、突起部１０３は、図１３、図１４及び図１５（ｂ）に示すように、周方向溝３７で案内されつつ、周方向溝３７の他方溝周端３７Ｂから一方溝周端３７Ａに旋回（移動）され、一方溝周端３７Ａから筒側溝部３７Ｂ（中心方向溝３８）に嵌込まれる。
【００６３】
続いて、作業者は、図１０に示すように、注意喚起表示器Ａを穴中心方向ＬＸ（長手方向Ｌ）に移動し、円形軸部１０２を円形穴部３２（円形穴３５）内から抜出し、及び突起部１０３を中心方向溝３８（穴側溝部３７Ａ）内から抜出す。
これにより、注意喚起表示器Ａを脚本体１から取外すことができる。
【００６４】
図１８において、単管バリケード用脚部材Ｘは、単管バリケードＺを構成する。
【００６５】
単管バリケードＺは、工事現場等に設置され、通行人、車両（自動車、自転車等）の進入を防止、規制する。
単管バリケードＺは、図１８に示すように、一対の単管バリケード用脚部材Ｘ，Ｘ、及び複数本（２本）の単管Ｙ１，Ｙ２で構成される。
各単管バリケード用脚部材Ｘ，Ｘは、図１８に示すように、間隔を隔てて配置され、及び脚本体１の前面壁板４、背面壁板５を対峙して配置される。
各単管バリケード用脚部材Ｘ，Ｘは、各脚部２５，２６を接地して立設される。
【００６６】
単管Ｙ１は、各単管バリケード用脚部材Ｘ，Ｘにおいて、各脚本体１の上面壁板８間に架け渡される。単管Ｙ１の各管端部Ｙａ，Ｙｂは、各単管バリケード用脚部材Ｘ，Ｘの単管クランプ２にて把持される。
これにより、各単管バリケード用脚部材Ｘ，Ｘの脚本体１は、単管Ｙ１の各管端部Ｙａ，Ｙｂを支持し、単管Ｙ１は、各単管バリケード用脚部材Ｘ，Ｘの脚本体１に固定される。
【００６７】
単管Ｙ２は、各単管バリケードＸ，Ｘにおいて、各脚本体１の内側穴部２９間に架け渡される。単管Ｙ２の各管端部Ｙａ，Ｙｂは、各単管バリケード用脚部材Ｘ，Ｘの単管クランプ３にて把持する。
これにより、各単管用バリケード用脚部材Ｘ，Ｘの脚本体１は、単管Ｙ２の各管端部Ｙａ，Ｙｂを支持し、単管Ｙ２は、各単管バリケード用脚部材Ｘ，Ｘの脚本体１に固定される。
各単管Ｙ１，Ｙ２は、長手方向Ｌに間隔を隔てて並設され、及び幅方向Ｈにおいて、脚本体１の幅中央にて各単管バリケード用脚部材Ｘ，Ｘの脚本体１に固定される。
【００６８】
続いて、各単管バリケード用脚部材Ｘ，Ｘに注意喚起表示器Ａを取付ける。注意喚起表示器Ａは、図１乃至図１７で説明したと同様に、各単管バリケード用脚部材Ｘ，Ｘ（脚本体１）に取付けられる。
これにより、注意喚起表示器Ａにて、通行人、車両（自動車、自転車等）に注意喚起を促すことができる。
【００６９】
また、注意喚起表示器Ａは、各単管バリケード用脚部材Ｘ，Ｘに取付けられるので、各単管バリケード用脚部材Ｘ，Ｘは、単管Ｙ１，Ｙ２の各管端部Ｙａ，Ｙｂを支持できる。
これにより、単管バリケードＺは、各単管Ｙ１，Ｙ２の管端部Ｙａ，Ｙｂを各単管バリケード脚部材Ｘ，Ｘ（脚本体１）から軸心方向に延在させる必要がなく、各単管バリケード用脚部材Ｘ，Ｘ間の間隔を広くでき、安定性に優れたものとなる。
【００７０】
＜第２実施形態＞
第２実施形態の単管バリケード用脚部材について、図１９乃至図２２を参照して説明する。
なお、図１９乃至図２２において、図１乃至図１８と同一符号は、同一構成、同一部材であるので、その詳細な説明は省略する。
【００７１】
図１９乃至図２２において、第２実施形態の単管バリケード用脚部材Ｘ２（以下、「単管バリケード用脚部材Ｘ２」という）は、注意喚起表示器Ａを取付け又は取外し自在とする。
単管バリケード用脚部材Ｘ２は、図１９乃至図２２に示すように、脚本体１、円形穴部３２、及び中心方向溝３８を備える。
単管バリケード用脚部材Ｘ２は、第1実施形態の単管バリケード用脚部材Ｘに対し、円筒部３６、周方向溝３７、筒側溝部３８Ｂ及び収納空所３９を備えない点で相異する。
【００７２】
円形穴部３２は、円形穴３５を有する。円形穴３５は、図１９乃至図２２に示すように、載部２１に配置される。円形穴３５は、載置部２１（上面壁板８）に開口して、脚本体１の内部空間Ｗに連通される。円形穴３５は、円形軸部１０２を回転自在に挿通可能とする。
円形穴３５は、穴中心方向ＬＸにおいて、脚本体１の内外に連通される。
【００７３】
中心方向溝３８は、穴側溝部３８Ａを有する。穴側溝部３８Ａは、図１９乃至図２２に示すように、幅方向Ｈにおいて、円形穴３５内周から右面壁板７側に延在され、円形穴３５内及び載置部２１に開口する。穴側溝部３８Ａは、穴中心方向ＬＸにて、脚本体１の内部空間Ｗに連通され、突起部１０３を摺動自在に嵌込み可能とする。
【００７４】
図２０において、作業者は、注意喚起表示器Ａの表示部１０１を把持し、円形軸部１０２の他方軸端１０２ａを円形穴３５（円形穴部３２）及び載置部２１に向ける。
【００７５】
続いて、作業者は、図２１及び図２２に示すように、円形軸部１０２を載置部２１から円形穴３５（円形穴部３２）内に挿入し、及び突起部１０３を載置部２１から穴側溝部３８Ａ（中心方向溝３８）に嵌込む。
作業者は、図２１及び図２２に示すように、注意喚起表示器Ａを穴中心方向ＬＸ（長手方向Ｌ）に移動することで、円形軸部１０２を円形穴３５から脚本体１の内部空間Ｗに挿入し、及び突起部１０３を穴側溝部３８Ａから脚本体１の内部空間Ｗに挿入する。
【００７６】
続いて、作業者は、図２１及び図２２に示すように、表示部１０１の下端１０１ａを脚本体１の載置部２１（上平面２１Ａ）に載置する。
【００７７】
続いて、作業者は、表示部１０１を回転することで、突起部１０３を穴側溝部３８Ａから周方向ＨＸに旋回する。これにより、突起部１０３は、脚本体１の内部空間Ｗ側から載置部２１（上面壁板８）に当接自在となり、注意喚起表示器Ａを穴中心方向ＬＸの載置部２１側に移動しても、注意喚起表示器Ａは脚本体１から外れない。
これにより、単管バリケード用脚部材Ｘ２は、注意喚起表示器Ａを脚本体１に取付ける。
【００７８】
注意喚起表示器Ａを脚本体１から取外す時、作業者は、図２１及び図２２に示すように、表示部１０１を把持し、表示部１０１を回転することで、突起部１０３を穴側溝部３８Ａに対峙する。
【００７９】
続いて、作業者は、図２０に示すように、注意喚起表示器Ａを穴中心方向ＬＸ（長手方向Ｌ）に移動し、円形軸部１０２を円形穴３５（円形穴部３２）内から抜出し、及び突起部１０３を穴側溝部３９Ａ（穴中心方向溝３８）から抜出す。
これにより、単管バリケード用脚部材Ｘ２は、注意喚起表示器Ａを脚本体１から取外す。
【００８０】
単管バリケード用脚部材Ｘ２は、図１８で説明したと同様に、単管バリケードを構成し、単管の管端部を支持する。
【００８１】
＜第３実施形態＞
第３実施形態の単管バリケード用脚部材について、図２３乃至図２７を参照して説明する。
なお、図２３乃至図２７において、図１乃至図１８と同一符号は、同一構成、同一部材であるので、その詳細な説明は省略する。
【００８２】
図２３乃至図２７において、第３実施形態の単管バリケード用脚部材Ｘ３（以下、「単管バリケード用脚部材Ｘ３」という）は、注意喚起表示器Ａを取付け又は取外し自在とする。
単管バリケード用脚部材Ｘ３は、図２３乃至図２７に示すように、脚本体１、円形穴部３２、中心方向溝３８を備える。
単管バリケード用脚部材Ｘ３は、第１実施形態の単管バリケード用脚部材Ｘに対し、周方向溝３７及び収納空所３９を備えていない点で相異する。
【００８３】
円形穴部３２は、円形穴３５及び円筒部５６を有して構成される。円形穴３５は、図１乃至図８、図１９乃至図２２で説明したと同様の構成である。
円筒部５６は、円形穴３５の穴中心ａ４に同心として、脚本体１の内部空間Ｗに配置される。
円筒部５６は、図２７に示すように、各壁板４，５の底壁板部３１Ａ，３１Ｂの一部を外側に膨出して形成され、円形穴３５から円形軸部１０２を回転自在に挿通可能とする。
円筒部５６は、底壁板部３１Ａの一部で形成される円孤周壁板５６Ａと、底壁板部３１Ｂの一部で形成される円孤周壁板５６Ｂで構成される。円筒部５６は、円形穴３５と同様、穴直径ｄ１である。
【００８４】
円筒部５６は、図２６に示すように、穴中心方向ＬＨにおいて、載置部２１（上平面２１Ａ）及び円筒部の下端間に距離δ８（穴中心方向寸法値δ８）を隔てて配置される。
穴中心方向寸法値δ８は、突起部１０３の軸心方向寸法値δ１から突起高さＥ２の半分を減算した寸法値δ９［δ９＝δ８−（Ｅ２／２）］より小さい寸法値（δ８＜δ９）に設定される（図２６参照）。
【００８５】
中心方向溝３８は、穴側溝部３８Ａ及び筒側溝部３８Ｂを有して構成される。穴側溝部３８Ａは、図１乃至図８、図１９乃至図２２で説明したと同一構成である。
筒側溝部３８Ｂは、各底壁板部３１Ａ，３１Ｂ間に形成される。筒側溝部３８Ｂは、幅方向Ｈにおいて、円筒部５６外周から右面壁板７に延在され、円筒部５６内に開口する。
筒側溝部３８Ｂは、穴中心方向ＬＸ（長手方向Ｌ）において、円筒部５６の各開口端間に延在される。筒側溝部３８Ｂは、穴中心方向ＬＸにおいて、穴側溝部３８Ａの下側に並設される。筒側溝部３８Ｂは、穴側溝部３８Ａから突起部１０３を摺動自在に嵌込み可能とする。
これにより、穴側溝部３８Ａ及び筒側溝部３８Ｂは、穴中心方向ＬＸに並設され、中心方向溝３８を構成する。
【００８６】
図２４において、作業者は、注意喚起表示器Ａの表示部１０１を把持し、円形軸部１０２の他方軸端１０２ａを円形穴３５（円形穴部３２）及び載置部２１に向ける。
【００８７】
続いて、作業者は、図２５及び図２６に示すように、円形軸部１０２を載置部２１から円形穴３５（円形穴部３２）内に挿入し、及び突起部１０３を載置部２１から穴側溝部３８Ａ（中心方向溝３８）に嵌込む。
作業者は、図２５乃至図２７に示すように、注意喚起表示器Ａを穴中心方向ＬＸ（長手方向Ｌ）に移動することで、円形軸部１０２を円形穴３５から円筒部５６内に挿入し、及び突起部１０３を穴側溝部３８Ａから筒側溝部３８Ｂ内に挿入する。
【００８８】
作業者は、穴中心方向ＬＸにおいて、円形軸部１０２を円筒部５６内に挿通し、及び突起部１０３を筒側溝部に挿通して、表示部１０１の下端１０１ａを脚本体１の載置部２１（上平面２１Ａ）に載置する（図２５及び図２６参照）。
【００８９】
続いて、作業者は、表示部１０１を回転することで、突起部１０３を筒側溝部３８Ｂから周方向ＨＸに旋回する。これにより、突起部１０３は、脚本体１の内部空間Ｗにおいて、円筒部５６の下端（開口端）に当接自在となり、注意喚起表示器Ａを穴中心方向ＬＸの載置部２１側に移動しても、脚本体１から外れない［図２７（ｂ）参照］。
また、円形軸部１０２は、円筒部５６（円形穴部３２）で保持されるので、注意喚起表示器Ａは倒れない。
これにより、単管バリケード用脚部材Ｘ３は、注意喚起表示器Ａを脚本体１に取付ける。
【００９０】
注意喚起表示器Ａを脚本体１から取外す時、作業者は、図２６及び図２７に示すように、表示部１０１を把持し、表示部１０１を回転することで、突起部１０３を筒側溝部３８Ｂに対峙する。
【００９１】
続いて、作業者は、図２４に示すように、注意喚起表示器Ａを穴中心方向ＬＸ（長手方向Ｌ）に移動し、円形軸部１０２を円筒部５６、円形穴３５（円形穴部３２）内から抜出し、及び突起部１０３を筒側溝部３８Ｂ、穴側溝部３８Ａ（穴中心方向溝３８）から抜出す。
これにより、単管バリケード用脚部材Ｘ３は、注意喚起表示器Ａを脚本体１から取外す。
【００９２】
単管バリケード用伽部材Ｘ３は、図１８で説明したと同様に、単管バリケードを構成し、単管の管端部を支持する。
【００９３】
＜第４実施形態＞
第４実施形態の単管バリケード用脚部材について、図２８至図３３を参照して説明する。
なお、図２８乃至図３３において、図１乃至図１８と同一符号は、同一構成、同一部材であるので、その詳細な説明は省略する。
【００９４】
図２８乃至図３３において、第４実施形態の単管バリケード用脚部材Ｘ４（以下、「単管バリケード用脚部材Ｘ４」という）は、注意喚起表示器Ａを取付け又は取外し自在とする。
単管バリケード用脚部材Ｘ４は、図２８乃至図３３に示すように、脚本体１、円形穴部３２、周方向溝５７及び中心方向溝３８を備える。
単管バリケード用脚部材Ｘ４は、第１実施形態の単管バリケード用脚部材Ｘに対し、収納空所３９を備えていない点で相異する。
【００９５】
円形穴部３２は、図1乃至図１８で説明したと同様、円形穴３５及び円筒部３６を有して構成される。
【００９６】
周方向溝５７は、図２９及び図３２に示すように、円形穴部３２において、円筒部３６の円弧周壁板３６Ａ（前面壁板４）に形成される。
周方向溝５７は、図２９及び図３２に示すように、円筒部３６（円形穴部３２）の穴中心ａに同心として周方向ＨＸに延在され、円孤溝底面５７ａを有する。周方向溝５７は、円筒部３６内に開口して円形穴部３２（円筒部３６）の周方向ＨＸに延在され、突起部１０３を嵌込み可能とする。周方向溝５７は、周方向ＨＸにおいて、各溝周端５７Ａ，５７Ｂ（一方溝周端５７Ａ、他方溝周端５７Ｂ）を有する。
【００９７】
周方向溝５７は、図３１及び図３２に示すように、直交方向ＴＸの溝深さｆ１、穴中心方向ＬＸの溝幅ｆ２であり、円孤溝底面の底半径ｒｘは、溝深さｆ１を円筒部３６の穴半径ｒ１を加算した寸法値（ｒｘ＝ｆ1＋ｒ１）である。
周方向溝５７において、溝深さｆ１は、突起部１０３の突出量Ｅ１より大きい寸法値（ｆ１＞Ｅ１）であり、溝幅ｆ２は、突起部１０３の突起高さＥ２より大きい寸法値（ｆ２＞Ｅ２）である。
突起部１０３の突出量Ｅ１は、円筒部３６（円形穴３５）の穴直径ｄ１及び円形軸部１０２の外直径Ｄ１の寸法差Ｔ［Ｔ＝（ｄ−Ｄ）／２］とすると、突起部１０３の突出量Ｅ１は、寸法差Ｔの２倍より大きい寸法値（Ｅ１＞２×Ｔ）である。
【００９８】
周方向溝５７は、穴中心方向ＬＸ（長手方向Ｌ）において、載置部２１（上平面２１Ａ）から溝幅中心ａ５までの距離δ５（穴中心方向寸法値δ５）を隔てて配置される。
周方向溝５７は、直交方向ＴＸにおいて、円筒部３６の円弧周壁板部３６Ａ（前面壁板４）の一部を外側に膨出して形成される。
周方向溝５７は、周方向ＨＸにおいて、右面壁板７から左面壁板６に向けて延在され、一方溝周端５７Ａを各底壁板部３１Ａ，３１Ｂ間に連通する。
これにより、周方向溝５７は、突起部１０３を摺動自在に嵌込み可能とする。
【００９９】
中心方向溝３８は、穴側溝部３８Ａ及び筒側溝部３８Ｂを有して構成される。穴側溝部３８Ａ及び筒側溝部３８Ｂは、図１乃至図１８で説明したと同様の構成である。
筒側溝部３８Ｂは、各底壁板部３１Ａ，３１Ｂ間に形成される。筒側溝部３８Ｂは、円筒部３６外周から右面壁板７側に延在され、円筒部３６内及び周方向溝５７の一方溝周端５７Ａに開口する。
【０１００】
図２９において、作業者は、注意喚起表示器Ａの表示部１０１を把持し、円形軸部１０２の他方軸端１０２ａを円形穴３５（円形穴部３２）及び載置部２１に向ける。
【０１０１】
続いて、作業者は、図３０乃至図３２に示すように、円形軸部１０２を載置部２１から円形穴３５（円形穴部３２）内に挿入し、及び突起部１０３を載置部２１から穴側溝部３８Ａに嵌込む。
作業者は、図３０及び図３１に示すように、注意喚起表示器Ａを穴中心方向ＬＸ（長手方向Ｌ）に移動し、円形軸部１０２を円形穴３５から円筒部３６内に挿入する。
このとき、突起部１０３は、穴側溝部３８Ａから筒側溝部３８Ｂに嵌込まれ、筒側溝部３８Ｂを摺動しつつ穴中心方向ＬＸ（長手方向Ｌ）に移動される。
【０１０２】
続いて、作業者は、図３０及び図３１に示すように、表示部１０１の下端１０１ａを脚本体１の載置部２１（上平面２１Ａ）上に載置する。
表示部１０１を載置部２１に載置すると、突起部１０３は、図３１及び図３２に示すように、中心方向溝３８内（筒側溝部３８Ｂ内）から周方向溝５７の一方溝周端５７Ａに対峙する。
【０１０３】
続いて、作業者は、図３２に示すように、表示部１０１を載置部２１に載置した状態において、一方向に回転すると、これにより円形軸部１０２も一方向に回転される。
一方向の回転により、突起部１０３は、筒側溝部３８Ｂから周方向溝５７の一方溝周端５７Ａを通して周方向溝３７内に嵌込まれる（図３３参照）。
一方向の回転により、突起部１０３は、周方向溝５７で案内されつつ、一方溝周端５７Ａから他方溝周端５７Ｂに旋回（移動）される。
このとき、突起部１０３は、周方向ＴＸにおいて、周方向溝５７の他方溝周端５７Ｂに当接することで、注意喚起表示器Ａ（表示部１０１、円形軸部１０２）の一方向の回転を規制する。
また、突起部１０３は、穴中心方向ＬＸ（長手方向Ｌ）において、周方向溝５７に当接することで、注意喚起表示器Ａ（表示部１０１、円形軸部１０２）の穴中心方向ＬＸへの移動を規制する。注意喚起表示器Ａを穴中心方向ＬＸの載置部２１側に移動しても、注意喚起表示器Ａは脚本体１から外れない。
また、円形軸部１０２は、円筒部３６（円形穴部３２）で保持されるので、注意喚起表示器Ａは傾かない。
これにより、単管バリケード用脚部材Ｘ４は、注意喚起表示器Ａを脚本体１に取付ける。
【０１０４】
注意喚起表示器Ａを脚本体１から取外す時、作業者は、図３２及び図３３に示すように、表示部１０１を把持し、表示部１０１を他方向に回転することで、突起部１０３を周方向溝５７から筒側溝部３８Ｂ内（中心方向溝３８）内に嵌込む。
【０１０５】
続いて、作業者は、図２９に示すように、注意喚起表示器Ａを穴中心方向ＬＸ（長手方向Ｌ）に移動し、円形軸部１０２を円筒部３６内、円形穴３５内から抜出し、及び突起部１０３を筒側溝部３８Ｂ、穴側溝部３８Ａから抜出す。
これにより、単管バリケード用脚部材Ｘ４は、注意喚起表示器Ａを脚本体１から取外す。
【０１０６】
単管バリケード用伽部材Ｘ４は、図１８で説明したと同様に、単管バリケードを構成し、単管の管端部を支持する。
【０１０７】
＜第５実施形態＞
第５実施形態の単管バリケード用脚部材について、図３４乃至図３７を参照して説明する。
なお、図３４乃至図３７において、図１乃至図１８と同一符号は、同一構成、同一部材であるので、その詳細な説明は省略する。
【０１０８】
図３４乃至図３７において、第５実施形態の単管バリケード用脚部材Ｘ５（以下、「単管バリケード用脚部材Ｘ５」という）は、注意喚起表示器Ａを取付け又は取外し自在とする。
単管バリケード用脚部材Ｘ５は、図３４乃至図３７に示すように、脚本体１、円形穴部３２、穴中心方向溝３８を備える。
単管バリケード用脚部材Ｘ５は、第１実施形態の単管バリケード用脚部材Ｘに対し、周方向溝３７及び収納凹所３９を備えない点で相異する。
【０１０９】
円形穴部３２は、円形穴３５及び円筒部６６を有して構成される。円形穴３５は、図１乃至図８、図１９乃至図２２で説明したと同様の構成である。
【０１１０】
円形穴部３２において、円筒部６６は、脚本体１と別に設けられ、円形軸部１０２を回転自在に挿通可能とする。円筒部６６は、図３５に示すように、取付板６７を有する。取付板６７は、円筒部６６の一方開口端６６Ａ側に配置され、円筒部６６外周から穴中心ａ４と直交方向に延在される。取付板６７は、複数の取付穴６７ａ，６７ａを有し、各取付穴６７ａ，６７ａは、穴中心方向ＬＸにて取付板６７を貫通する。
【０１１１】
中心方向溝３８は、穴側溝部３８Ａ及び筒側溝部６８Ｂを有して構成される。筒側溝部６８Ｂは、図３５に示すように、円筒部６６に形成され、突起部１０３を嵌込み可能とする。
筒側溝部６８Ｂは、円筒部６８内に開口する。筒側溝部６８Ｂは、円筒部６６の穴中心方向ＬＸの両開口端６６Ａ，６６Ｂに延在され、円筒部６６の各開口端６６Ａ，６６Ｂに開口する。
筒側溝部６８Ｂは、円筒部６６の一部を外側に膨出する凹突部６６Ｈにて形成され、凹突部６６Ｈは、円筒部６６の一方開口端６６Ａで取付板６７に連続する。
これにより、円筒部６６、取付板６７及び筒側溝部６８Ｂは、円筒保持体ＳＤを構成する。
【０１１２】
円筒保持体ＳＤは、図３５に示すように、円筒部６６の他方開口端６６Ｂを載置部２１（円形穴３５）に向ける。
円筒保持体ＳＤにおいて、円筒部６６は、円形穴３５内に挿入され、脚本体１の内部空間Ｗに配置される。円筒部６６の凹突部６６Ｈ（筒側溝部６８Ｂ）は、穴側溝部３８Ａに挿入され、脚本体１の内部空間Ｗに配置される。
円筒保体ＳＤにおいて、取付板６７は、載置部２１に載置される。取付板６７は、複数のネジ６９，６９にて脚本体１（載置部２１）に固定される。各ネジ６９，６９は、取付板６７の各取付穴６７ａ，６７ａを挿通して、載置部２１に螺着される。
これにより、円筒部６６は、円形穴３５の穴中心ａ４に同心として、脚本体１の内部空間Ｗに配置される。
【０１１３】
図３６において、作業者は、注意喚起表示器Ａの表示部１０１を把持し、円形軸部１０２の他方軸端１０２ａを円筒部６６（円形穴部３２）及び載置部２１に向ける。
【０１１４】
作業者は、図３５及び図３６に示すように、円形軸部１０２を載置部２１から円筒部６６内に挿入し、及び突起部１０３を載置部２１から筒側溝部６８Ｂに嵌込む。
作業者は、図３６に示すように、注意喚起表示器Ａを穴中心方向ＬＸ（長手方向Ｌ）に移動することで、円形軸部１０２を円筒部６６内に挿通し、突起部１０３を筒側溝部３８Ｂに挿通して、表示部１０１の下端１０１ａを載置部２１（取付部材６７及び円筒部６６の一方開口端６６Ａ）に載置する。
【０１１５】
続いて、作業者は、表示部１０１を回転することで、突起部１０３を筒側溝部６８Ｂから周方向ＨＸに旋回する。これにより、突起部１０３は、脚本体１の内部空間Ｗにおいて、円筒部６６の他方開口端６６Ｂに当接自在となり、注意喚起表示器Ａを穴中心方向ＬＸの載置部２１側に移動しても、脚本体１から外れない。
また、円形軸部１０２は、円筒部６６（円形穴部３２）で保持されるので、注意喚起表示器Ａは傾かない。
これにより、単管バリケード用脚部材Ｘ５は、注意喚起表示器Ａを脚本体１に取付ける。
【０１１６】
注意喚起表示器Ａを脚本体１から取外す時、作業者は、表示部１０１を把持し、表示部１０１を回転することで、突起部１０３を筒側溝部６８Ｂに対峙する。
【０１１７】
続いて、作業者は、図３６に示すように、注意喚起表示器Ａを穴中心方向ＬＸ（長手方向Ｌ）に移動し、円形軸部１０２を円筒部６８（円形穴部３２）内から抜出し、及び突起部１０３を筒側溝部６８Ｂ（穴中心方向溝３８）から抜出す。
これにより、単管バリケード用脚部材Ｘ５は、注意喚起表示器Ａを脚本体１から取外す。
【０１１８】
単管バリケード用伽部材Ｘ５は、図１８で説明したと同様に、単管バリケードを構成し、単管の管端部を支持する。
【０１１９】
各管バリケード用脚部材Ｘ，Ｘ２，Ｘ３，Ｘ４，Ｘ５では、図３８及び図３９に示すように、注意喚起表示器Ａを取付けない時（未使用時）、円形穴３５（円形穴部３２）及び穴側溝部３８Ａ（中心方向溝３８）を蓋部材４５で閉塞しても良い。なお、第５実施形態の単管バリケード用脚部材Ｘ５では、円筒保持体ＳＤを円形穴３５から取外して、蓋部体４５で円形穴３５及び穴側溝部３８Ａを閉塞する。
【０１２０】
蓋部材４５は、円形穴３５内に挿入され、及び載置部２１に載置され、載置部２１から円形穴３５（円形穴部３２）及び穴側溝部３８Ａ（中心方向溝３８）を閉塞する。
【０１２１】
蓋部材４５は、図３８及び図３９に示すように、例えば、大径蓋板部４６、小径蓋板部４７及び突起爪部４８を備える。蓋部材４５は、合成樹脂（ポリエチレン）等で大径蓋板部４６、小径蓋板部４７及び突起爪部４８を一体形成する。
【０１２２】
大径蓋板部４６の外直径ＤＢは、円形穴３５の穴直径ｄ１と、穴側溝部３５Ａの溝深さＧ１を加算した値より大きい寸法値である。
【０１２３】
小径蓋板部４７は、大径蓋部４６の板中心ａ７と同心に配置され、大径蓋板部４６の裏面４６Ａに固定される。
小径蓋板部４７は、円形穴３５の穴直径ｄ１と同一又は僅かに小さい寸法の外直径である。
【０１２４】
突起爪部４８は、板中心方向ＬＮにおいて、大径蓋板部４６の裏面４６Ａに隙間δＸ（上面壁板８の板厚）を隔てて配置される。
突起爪部４８は、小径蓋板部４７に固定され、小径蓋板４７外周から板中心方向ＬＮに直交する蓋直交方向ＴＮに突出する。
突起爪部４８は、蓋直交方向ＴＮの突出量Ｗ１、及び周方向ＨＮの突起幅Ｗ２である。突起爪部４８において、突出量Ｗ１は、穴側溝部３８Ａの溝深さＧ１より小さい寸法値であり、突起幅Ｗ２は、穴側溝部３８Ａの溝幅Ｇ２より小さい寸法値である。
【０１２５】
作業者は、図３８及び図３９（ａ）に示すように、突起爪部４８を載置部２１から穴側溝部３８Ａ内に挿入し、及び小径蓋板部４７を円形穴３５内に挿入する。
これにより、蓋部材４５は、大径蓋板部４６を上面壁板８（載置部２１）上に載置し、及び大径蓋板部４６にて円形穴３５及び穴側溝部３８Ａを閉塞する［図３８（ｂ）及び図３９参照］。
【０１２６】
更に、作業者は、蓋部材４５を回転することで突起爪部４８及び大径蓋板部４６（裏面４６Ａ）間に上面壁板８を挿入する［図３９（ｂ）参照］。
これにより、蓋本体４５は、載置部２１から円形穴３５（円形穴部３２）及び穴側溝部３８Ａ（中心方向溝３８）を閉塞して、脚本体１に取付けられる。
また、蓋部材４５は、脚本体１（上面壁板８）に固定され、脚本体１から外れない。
【０１２７】
このように、円形穴３５及び穴側溝部３８Ａを蓋部材４５にて閉塞することで、雨水等が脚本体１に侵入することを防止できる。
なお、蓋部材４５を他方に回転し、突起爪部４８を穴側溝部３８Ａ内に配置することで、脚本体１（上面壁板８）から取外せる。
なお、蓋部材４５は、図３８及び図３９に説明した構成に限定されず、載置部２１から円形穴３５及び穴側溝部３８Ａを閉塞できる構成であれば良い。
【０１２８】
単管バリケード用脚部材Ｘにおいて、脚本体１は、合成樹脂をインジェクション成形して形成しても良い。
【産業上の利用可能性】
【０１２９】
本考案は、単管バリケードを構成し、通行人、車両に注意喚起を促すに最適である。
【符号の説明】
【０１３０】
Ｘ  単管バリケード用脚部材
Ｙ１，Ｙ２  単管
Ｙａ，Ｙｂ  管端部
Ｚ  単管バリケード
１  脚本体
３２  円形穴部
３５  円形穴
３６  円筒部
３７  周方向溝
３７Ａ  一方溝周端
３７Ｂ  他方溝周端
３７ａ  円弧溝底面（溝底面）
３８  中心方向溝
３８Ａ  穴側溝部
３８Ｂ  筒側溝部
３９  収納凹所
Ａ  注意喚起表示器
１０１  表示部
１０２  円形軸部
１０３  突起部
１０３ａ  円弧外周面（外周面）
【図１】
0003201876.tif 000003
【図２】
0003201876.tif 000004
【図３】
0003201876.tif 000005
【図４】
0003201876.tif 000006
【図５】
0003201876.tif 000007
【図６】
0003201876.tif 000008
【図７】
0003201876.tif 000009
【図８】
0003201876.tif 000010
【図９】
0003201876.tif 000011
【図１０】
0003201876.tif 000012
【図１１】
0003201876.tif 000013
【図１２】
0003201876.tif 000014
【図１３】
0003201876.tif 000015
【図１４】
0003201876.tif 000016
【図１５】
0003201876.tif 000017
【図１６】
0003201876.tif 000018
【図１７】
0003201876.tif 000019
【図１８】
0003201876.tif 000020
【図１９】
0003201876.tif 000021
【図２０】
0003201876.tif 000022
【図２１】
0003201876.tif 000023
【図２２】
0003201876.tif 000024
【図２３】
0003201876.tif 000025
【図２４】
0003201876.tif 000026
【図２５】
0003201876.tif 000027
【図２６】
0003201876.tif 000028
【図２７】
0003201876.tif 000029
【図２８】
0003201876.tif 000030
【図２９】
0003201876.tif 000031
【図３０】
0003201876.tif 000032
【図３１】
0003201876.tif 000033
【図３２】
0003201876.tif 000034
【図３３】
0003201876.tif 000035
【図３４】
0003201876.tif 000036
【図３５】
0003201876.tif 000037
【図３６】
0003201876.tif 000038
【図３７】
0003201876.tif 000039
【図３８】
0003201876.tif 000040
【図３９】
0003201876.tif 000041
【手続補正書】
【提出日】平成27年10月21日(2015.10.21)
【手続補正２】
【補正対象書類名】明細書
【補正対象項目名】００１２
【補正方法】変更
【補正の内容】
【００１２】
本考案に係る単管バリケード用脚部材について、図１乃至図３９を参照して説明する。
以下、第１乃至第５実施形態の単管バリケード用脚部材を説明する。